(57)【要約】【課題】組立工数を少なくすると共に、カートリッジ室内のスペースを大きくすること無く、簡単構成で、カートリッジ室内でのカートリッジの姿勢を安定させる。【解決手段】カートリッジ室１ａに装填されたカートリッジ２の外壁に設けられた情報コードに対して、圧接する方向に付勢力を有し、前記情報コードより情報を読み取るための複数の切片３（３ａ）を備え、該複数の切片に、前記カートリッジを吸着するための手段３ｂを設けている。【選択図】        図１
2004325976.tif 000002
【特許請求の範囲】
【請求項１】
カートリッジ室に装填されたカートリッジの外壁に設けられた情報コードに対して、圧接する方向に付勢力を有し、前記情報コードより情報を読み取るための複数の切片を備えた情報読取装置において、
前記複数の切片に、前記カートリッジを吸着するための手段を設けたことを特徴とする情報読取装置。
【発明の詳細な説明】
【０００１】
【発明の属する技術分野】
本発明は、カートリッジの外壁に設けられた情報コードより情報を読み取る情報読取装置の改良に関するものである。
【０００２】
【従来の技術】
従来より、収納したフィルムのＩＳＯ情報や規定駒数などの各種情報を記録したフィルム情報コード（ＤＸコード）が外壁に設けられたフィルムカートリッジ（パトローネ）は広く用いられている。そして、この種のフィルムカートリッジが装填されるカメラには、例えば図４及び図５に示すように、カメラ本体１０１に前記ＤＸコードを読み取るための弾性を有する複数の切片（以下、ＤＸ切片とも記す）１０２が取り付けられていて、該ＤＸ切片１０２の先端にある接点部１０２ａがＤＸ切片開口部１０１ｂからカートリッジ室１０１ａに突出した状態になっている。
【０００３】
上記構成において、カメラ本体１０１のカートリッジ室１０１ａにＤＸコードを有するフィルムカートリッジが装填されると、該フィルムカートリッジ上に設けられたＤＸコードにＤＸ切片１０２の接点部１０２ａが接触し、その後、不図示の背蓋が閉じられるとこの接点部１０２ａとＤＸコードとが圧接して、公知のように各接点部１０２ａの電位を基にＩＳＯ情報や規定駒数などのフィルム情報が読み取られるようになっている。
【０００４】
また、この種のカメラにおいては、図６に示すように、フィルムカートリッジ２０２のカメラ本体２０１に設けられたカートリッジ室２０１ａ内での姿勢を安定させるために、カートリッジ室２０１ａ内に専用の押えバネ２０４を具備したものが知られている。
【０００５】
図７は、図６におけるカメラ本体２０１での横断面図であり、同図において、２０１ｂはカートリッジ室２０１ａに設けられたＤＸ切片開口部、２０２ａはフィルムカートリッジ２０２より引き出されているフィルム、２０２ｂはＤＸコードである。２０３はフィルムカートリッジ２０２に具備されたＤＸコード２０２ｂよりＩＳＯ情報や規定駒数などのフィルムの各種情報を読み取るためにカメラ本体２０１に取り付けられた弾性を有する複数のＤＸ切片であり、ＤＸ切片２０３の先端に前記ＤＸコードと接触する接点部２０３ａおよびカメラ本体２０１に該ＤＸ切片２０３を取り付けるための取付部２０３ｂを有している。
【０００６】
２０３ｃは、カートリッジ室２０１ａにフィルムカートリッジ２０２が装填されて該フィルムカートリッジ２０２上に設けられたＤＸコード２０２ｂと接点部２０３ａとが圧接した状態を示している。
【０００７】
その他、上記のようにフィルムカートリッジのカートリッジ室内での姿勢を安定させるためにカートリッジ室内に専用の押えバネを具備した従来例として、例えば特許文献１を挙げることができる。
【０００８】
【特許文献１】
特開平４−２５７８３８号公報（図２等参照）
【０００９】
【発明が解決しようとする課題】
しかしながら、上記の特許文献１等のようなカメラにおいては、フィルムカートリッジのカートリッジ室内での姿勢を安定させるための専用の押えバネが必要となるばかりでなく、その押えバネを取り付けるためのスペースをカートリッジ室内に設ける必要があった。また、この押えバネをカートリッジ室内に組み付ける組立工数が増大してしまうといった欠点も有していた。
【００１０】
（発明の目的）
本発明の目的は、組立工数を少なくすると共に、カートリッジ室内のスペースを大きくすること無く、簡単構成で、カートリッジ室内でのカートリッジの姿勢を安定させることのできる情報読取装置を提供しようとするものである。
【００１１】
【課題を解決するための手段】
上記目的を達成するために、本発明は、カートリッジ室に装填されたカートリッジの外壁に設けられた情報コードに対して、圧接する方向に付勢力を有し、前記情報コードより情報を読み取るための複数の切片を備えた情報読取装置において、前記複数の切片に、前記カートリッジを吸着するための手段を設けたことを特徴とする情報読取装置とするものである。
【００１２】
【実施の形態】
以下、本発明を図示の実施の形態に基づいて詳細に説明する。
【００１３】
図１ないし図３は本発明の実施の一形態に係るカメラの主要部構成を示す図であり、詳しくは、図１はカメラのカートリッジ室周辺を示す断面図、図２はフィルムカートリッジの側面図、図３はＤＸ切片を示す正面図である。
【００１４】
図１ないし図３において、１はカメラ本体であり、カートリッジ室１ａ、ＤＸ切片開口部１ｂが形成されている。２は外壁にＩＳＯ情報や規定駒数などのフィルムの各種情報が記録されたＤＸコード２ｂが設けられたフィルムカートリッジ、２ａはフィルムカートリッジ２より引き出されているフィルムである。
【００１５】
３は前記ＤＸコード２ｂよりＩＳＯ情報などのフィルムの各種情報を読み取るための弾性を有する複数のＤＸ切片であり、カメラ本体１に取り付けられており、先端に前記ＤＸコード２ｂと圧接する接点部３ａ、磁石３ｂおよびカメラ本体１に該ＤＸ切片３を取り付けるための取付部３ｃを有している。前記接点部３ａは、カートリッジ室１ａにフィルムカートリッジ２が装填されていない場合は、図１の実線で示すようにＤＸ切片開口部１ｂからカートリッジ室１ａに突出した状態になっている。
【００１６】
３ｄは、カートリッジ室１ａにフィルムカートリッジ２が装填されて不図示の背蓋が閉じられ、ＤＸコード２ｂが設けられているフィルムカートリッジ２の外壁により押されてＤＸ切片開口部１ｂからカートリッジ室１ａに突出していた接点部３ａが点線で示すように撓んで、ＤＸコード２ｂと接点部３ａとが圧接した状態（チャージ状態）を示している。
【００１７】
上記構成において、カメラ本体１のカートリッジ室１ａにＤＸコード２ｂを有するフィルムカートリッジ２が装填されると、該フィルムカートリッジ２上に設けられたＤＸコード２ｂにＤＸ切片３の接点部３ａが接触する。
【００１８】
この際、複数のＤＸ切片３には図３に示すようにそれぞれ磁石３ｂが取り付けられているため、その磁力が接点部３ａにも伝わり、該接点部３ａとＤＸコード２ｂ、詳しくは磁石によって吸着される材質よりなる、ＤＸコードを有するＤＸコード部分が磁力によって吸着されることになる。このようにＤＸ切片３の接点部３ａとＤＸコード部分が磁力で吸着されることによって、フィルムカートリッジ２はカートリッジ室１ａ内でその姿勢が安定され、フィルムカートリッジ２から引き出されるフィルム２ａのカーリング等により、該フィルムカートリッジ２が回転してしまう等のフィルム装填時の不具合が解消される。
【００１９】
さらに、図示しない公知の背蓋が閉じられると、フィルムカートリッジ２は図１に示す位置まで押し込まれ、これによりＤＸ切片３の接点部３ａは図１の３ｄに示す位置までチャージされて、ＤＸコードの読み取りが可能となる。
【００２０】
以上のように、ＤＸ切片３の各接点部３ａそれぞれに、フィルムカートリッジ２を吸着するための磁石３ｄを一体に取り付けた構造にしているので、特許文献１等の従来例のように、フィルムカートリッジのカートリッジ室内での姿勢を安定させるための専用の押えバネを備える必要が無くなり、組立工数を少なくすることができると共に、カートリッジ室内のスペースを小さくすることができる。更には、押えバネを有するものに比べて構成が簡単になり、安価で小型なものにすることができる。
【００２１】
（変形例）
上記実施の形態では、各接点部に永久磁石を一体的に設けた例を述べたが、切片自体を磁化する構成にしても良い。また、安価かつ小型化の面では少し難があるが、電磁石を具備した構造であっても良い。
【００２２】
また、カメラに適用した例、詳しくはフィルムを内部に収納したフィルムカートリッジの、カートリッジ室内での姿勢の安定を簡単な構成等で行うカメラに適用した例を述べているが、これに限定されるものではなく、その他のカートリッジ使用機器であっても良い。つまり、カートリッジの外壁に収納物の情報を記憶した情報コードを有し、該カートリッジが機器に装填されると、前記情報コードより情報を読み出して、以後の機器の制御等にその情報を用いるようなものへの適用も可能である。
【００２３】
最後に、請求項１に記載の情報読取装置以外の本発明に係る装置の実施態様について以下に列挙する。
【００２４】
（実施態様１）  カートリッジ室に装填されたフィルムカートリッジの外壁に設けられたフィルム情報コードに対して、圧接する方向に付勢力を有し、前記フィルム情報コードよりフィルム情報を読み取るための複数の切片を備えたフィルム情報読取装置において、前記複数の切片に、前記フィルムカートリッジを吸着するための手段を設けたことを特徴とするフィルム情報読取装置。
【００２５】
（実施態様２）  カートリッジ室に装填されたフィルムカートリッジの外壁に設けられたフィルム情報コードに対して、圧接する方向に付勢力を有し、前記フィルム情報コードよりフィルム情報を読み取るための複数の切片を備えたフィルム情報読取装置において、前記複数の切片に、前記フィルムカートリッジを磁気的に吸着するための手段を設けたことを特徴とするフィルム情報読取装置。
【００２６】
（実施態様３）  前記吸着するための手段は、前記複数の切片に一体的に設けられた永久磁石であることを特徴とする実施態様２に記載のフィルム情報読取装置。
【００２７】
（実施態様４）  前記フィルム情報コードよりフィルム情報を読み取るための前記複数の切片が、磁化されて、前記吸着するための手段を構成することを特徴とする実施態様２に記載のフィルム情報読取装置。
【００２８】
（実施態様５）  前記吸着するための手段は、電磁石であることを特徴とする実施態様２に記載のフィルム情報読取装置。
【００２９】
（実施態様６）  実施態様１ないし５の何れかに記載のフィルム情報読取装置を有することを特徴とするカメラ。
【００３０】
（実施態様７）  フィルムカートリッジ外壁に設けられたフィルム情報コードに対して圧接する方向に付勢した複数の切片を有し、入力端子の電位を検出してフィルム情報を読み取るフィルム情報読取装置において、前記複数の切片に、前記フィルムカートリッジを吸着するための手段を設けたことを特徴とするフィルム情報読取装置。
【００３１】
（実施態様８）  前記フィルムカートリッジを吸着するための手段は、磁気的手段であることを特徴とする実施態様７に記載のフィルム情報読取装置。
【００３２】
【発明の効果】
以上説明したように、本発明によれば、組立工数を少なくすると共に、カートリッジ室内のスペースを大きくすること無く、簡単構成で、カートリッジ室内でのカートリッジの姿勢を安定させることができる情報読取装置を提供できるものである。
【図面の簡単な説明】
【図１】本発明の実施の一形態に係るカメラのカートリッジ室周辺を示す断面図である。
【図２】本発明の実施の一形態に係るカメラに装填されるフィルムカートリッジを示す側面図である。
【図３】本発明の実施の一形態に係るカメラに具備されるＤＸ切片を示す正面図である。
【図４】従来のカメラのカートリッジ室周辺を示す斜視図である。
【図５】図４に示すＤＸ切片の斜視図である。
【図６】従来のカメラにおいて押えバネを有するカートリッジ室へフィルムカートリッジを装填する際を説明するための側面図である。
【図７】図６のカメラのカートリッジ室周辺を示す断面図である。
【符号の説明】
１      カメラ本体
１ａ    カートリッジ室
１ｂ    ＤＸ切片開口部
２      フィルムカートリッジ
２ｂ    ＤＸコード
３      ＤＸ切片
３ａ    接点部
３ｂ    磁石
３ｃ    取付部
３ｄ    チャージされた状態のＤＸ切片
【図１】
2004325976.tif 000003
【図２】
2004325976.tif 000004
【図３】
2004325976.tif 000005
【図４】
2004325976.tif 000006
【図５】
2004325976.tif 000007
【図６】
2004325976.tif 000008
【図７】
2004325976.tif 000009